(57)【要約】【課題】紙幣処理装置の集積部へ異サイズ混在の紙幣を集積するにあたり、その処理速度を高速化させた場合においても、紙幣を整列させた良好な状態で集積させるようにすること。【解決手段】紙幣を投入する紙幣投入部と、投入された紙幣を識別する識別部と、所定の基準で分類された紙幣毎に集積する集積部とを有し、前記集積部の入り口に設けられ、回転することによって放射状に備わる複数の羽根の間に順次紙幣を差し込んで前記集積部の底面方向に搬送されてきた紙幣を導くホイールと、前記ホイールに差し込まれた紙幣の後端を前記ホイールの回転方向に導くガイドローラーと、を有する構成とした。【選択図】図２
2019121135.tif 000002
【特許請求の範囲】
【請求項１】
紙幣を投入する紙幣投入部と、所定の基準で分類された紙幣毎に集積する少なくとも１つの集積部とを有する紙幣処理装置であって、
前記集積部の入り口に設けられ、回転することによって放射状に備わる複数の羽根の間に順次紙幣を差し込んで前記集積部の底面方向に搬送されてきた紙幣を導くホイールと、
前記ホイールに差し込まれた前記紙幣の後端を前記ホイールの回転方向に導くガイドローラーと、
を有することを特徴とする紙幣処理装置。
【請求項２】
投入された紙幣を識別する識別部を有することを特徴とする請求項１に記載の紙幣処理装置。
【請求項３】
前記集積部に向かって搬送されてきた紙幣を前記ホイールへ導く駆動ローラーと、
前記駆動ローラーに従動し、かつ前記駆動ローラーとの間で前記紙幣を挟持する従動ローラーと、
を有し、
前記ガイドローラーは、
前記従動ローラーと同軸上に設けられていることを特徴とする請求項１または２に記載の紙幣処理装置。
【請求項４】
前記ガイドローラーは、
その外周部において、その回転方向に対して鋭角に切り立っており前記紙幣の後端に接触して押圧する面が形成されていることを特徴とする請求項１〜３のいずれかに記載の紙幣処理装置。
【請求項５】
前記ガイドローラーは、
その外周部に放射状の凸部を備えること特徴とする請求項４に記載の紙幣処理装置。
【請求項６】
前記ガイドローラーは、
その材質がゴムまたは樹脂であることを特徴とする請求項１〜５のいずれかに記載の紙幣処理装置。
【請求項７】
前記集積部は、側面から紙幣を取り出せるように開放されており、
前記集積部の底板は、紙幣取り出し側の端部が上方に向けて凸形状であることを特徴とする請求項１〜６のいずれかに記載の紙幣処理装置。
【請求項８】
前記ホッパー紙幣投入部及び前記識別部が装置下部に搭載されており、装置上部に前記集積部が配置されており、前記集積部を囲むように搬送路が構成されており、前記装置下部と前記集積部と間に空間が設けられており、前記識別部及び前記搬送路のうちの前記装置上部の前後において前記搬送路の上面部分がチルト可能な構成としたことを特徴とする請求項２〜７のいずれかに紙幣処理装置。
【発明の詳細な説明】
【技術分野】
【０００１】
本発明は、紙幣処理装置に関し、特に、紙幣などの媒体を少なくとも計数し、併せて仕分けも実施する紙幣処理装置に適用して好適なものである。
【背景技術】
【０００２】
金融機関の現金センターなど大量の紙幣を処理する必要がある事業所においては、紙幣処理装置（紙幣ソーターとも称す）が利用されている。紙幣ソーターは、紙幣を計数したり、所定の条件で投入された紙幣を分類するための装置である。このような紙幣ソーターは、例えば、紙幣を投入するための紙幣投入部（ホッパー）、紙幣投入部から搬送された紙幣を識別するための識別部、識別された紙幣を所定の条件に従って振り分け集積する複数のポケットを有する集積部（ポケット部とも称す）、この集積部に振り分けられない紙幣を集積するリジェクト部、及び、操作を行うための操作部を有する。
【０００３】
紙幣投入部へ投入された紙幣は、紙幣投入部に備わる繰り出し部で１枚毎に分離された後に搬送路で搬送され、識別部を通り金種、正損及び真偽等が識別され、振り分け部で振り分けられた後に集積部に集積される。紙幣ソーターでの振り分け条件（ソーターの使い方）としては、例えば次のようなものがある。
【０００４】
（１）計数による振り分け（１００枚毎に振り分ける等）
（２）金種毎の振り分け
（３）正券、損券、偽券等の振り分け
（４）紙幣方向毎の振り分け
【０００５】
紙幣ソーターでは、その振り分け条件によっては、集積部には大きさが異なる複数種の紙幣が集積されることがあり、その場合、搬送されてきた紙幣を単純に集積部へ投げ入れるだけでは紙幣の位置が揃わずに紙幣の集積不良の原因となりうる。従来の紙幣処理装置としては、回転するホイールの羽根に紙幣を順次差し込んでいき、紙幣を整列させて集積させる構成が存在している（特許文献１参照）。
【０００６】
このような従来の紙幣処理装置では、羽根車を設け、各スタッカ内に向かって放出される紙幣を、隣り合う羽根部分の間のスペースに受け入れ、紙幣の向きや位置が整えられた状態でこの紙幣を各スタッカに集積させている。
【先行技術文献】
【特許文献】
【０００７】
【特許文献１】特開２０１５−４３２１９号公報
【発明の概要】
【発明が解決しようとする課題】
【０００８】
上述のようなホイールを用いる集積方法では、ホイールが回転することによって差し込まれた紙幣の後端が退避し、後続の紙幣（後続札と称す）との衝突を回避している。しかしながら、紙幣の処理速度を高速化していくと、上述した従来のホイール集積方式では限界があり、ホイールに差し込まれた紙幣がたわんでしまい、その紙幣の後端が退避しきれず、後続札と衝突して集積不良が発生するという可能性があった。
【０００９】
本発明は以上の点を考慮してなされたもので、集積部へ紙幣を集積するにあたり、紙幣の処理速度を高速化させた場合においても、紙幣を整列させた良好な状態で集積させることを可能とした紙幣処理装置を提案しようとするものである。
【課題を解決するための手段】
【００１０】
かかる課題を解決するため、本発明においては、紙幣を投入する紙幣投入部と、所定の基準で分類された紙幣毎に集積する少なくとも１つの集積部とを有し、前記集積部の入り口に設けられ、回転することによって放射状に備わる複数の羽根の間に順次紙幣を差し込んで前記集積部の底面方向に搬送されてきた紙幣を導くホイールと、前記ホイールに差し込まれた前記紙幣の後端を前記ホイールの回転方向に導くガイドローラーと、を有することを特徴とする。
【発明の効果】
【００１１】
本発明によれば、紙幣処理装置の集積部へ紙幣を集積するにあたり、その処理速度を高速化させた場合においても、紙幣を整列させた良好な状態で集積させることができる。
【図面の簡単な説明】
【００１２】
【図１】本実施の形態に係る紙幣ソーターの外観の一例を示す図である。
【図２】本実施の形態に係る紙幣ソーターの内部構成例を示す図である。
【図３】本実施の形態に係る紙幣ソーターの内部構成例を示す図である。
【図４】本実施の形態に係る紙幣ソーターの集積部の構成例を示す図である。
【図５】比較例としての一般的な紙幣ソーターの集積部の構成例を示す図である。
【図６】本実施の形態に係る紙幣ソーターの集積部の機構例を示す図である。
【図７】本実施の形態に係る紙幣ソーターの集積部の機構例を示す斜視図である。
【図８】本実施の形態に係る紙幣ソーターの集積部のガイドローラー及びその変形例の構造の一例を示す図である。
【図９】本実施の形態に係る紙幣ソーターの集積部の機構の一例を示す断面図である。
【図１０】本実施の形態に係る紙幣ソーターの集積部の機構の一例を示す断面図である。
【図１１】本実施の形態に係る紙幣ソーターの集積部の機構の一例を示す断面図である。
【発明を実施するための形態】
【００１３】
以下、図面について、本発明の一実施の形態について詳述する。
【００１４】
（１）第１の実施の形態
図１は、本実施の形態に係る紙幣処理装置の一例としての紙幣ソーター１の外観の一例を示す図であり、図２及び図３は、図１に示す紙幣ソーター１の構成例を示す断面図である。
【００１５】
図１に示すように紙幣ソーター１は、紙幣を投入するための紙幣投入部２（ホッパー）と、紙幣投入部２から搬送された紙幣を識別するための識別部３と、識別された紙幣を所定の条件に従って振り分け集積する複数のポケットを有する集積部４（ポケット部とも称す）と、集積部４に振り分けられない紙幣を集積するリジェクト部５と、操作を行うための操作部６とを備える。
【００１６】
図２に示す紙幣投入部２へ投入された紙幣は、紙幣投入部２に備わる繰り出し部１４で１枚毎に分離され、搬送路１２で搬送され、識別部３を通り金種、正損、真偽等が識別される。さらにこの紙幣は、振り分け部１３で所定の基準で振り分けられ、後述するホイール１５によって集積部４に集積される。
【００１７】
図３に示すように、紙幣ソーター１は、いわゆるホッパーに相当する紙幣投入部２と識別部３を装置下部に搭載し、装置上部に集積部４（ポケット部）を配置し集積部４を囲むように搬送路１２が構成されている。また、紙幣ソーター１は、装置下部と集積部４の間に空間が設けられており、識別部３及び前後搬送路１２上面をチルト可能とした構成となっている。これにより、搬送路１２上面のみについてチルトを実施すればジャム除去操作が可能となり、保守時の操作性を向上することができる。
【００１８】
図４は、集積部４及びその周辺の構造の一例を示す平面図である。本図を用いて紙幣集積の基本メカニズムを説明する。本実施の形態では、回転するホイール１５の羽根１５Ａの速度の方が搬送路１２の速度より低いために、集積部４に搬送された紙幣は、集積部４の入り口側に設けられた回転するホイール１５の羽根１５Ａ同士の間に１枚１枚差し込まれて最終的に底板１０の上に平積みで集積される。
【００１９】
底板１０は、図示しないバネで上方に持ち上げられており、紙幣枚数が増えてくると紙幣重量により下降することで、一定の紙幣収納空間を保っている。
【００２０】
図５は、本実施の形態との比較例としての一般的な構成例を説明するための図である。一般的なホイール集積方式においては、ホイール１５が回転することによって差し込まれた紙幣の後端が退避し、後続札（後続の紙幣）との衝突を回避している。しかしながら、紙幣の処理速度を徐々に高速化していくと、このようなホイール集積方式では限界があり、ホイール１５に差し込まれた紙幣がたわんでしまい、その後端が退避しきれず、駆動ローラー８及び従動ローラー９の近傍において後続札（後続の紙幣）と衝突して集積不良が発生する可能性がある。
【００２１】
そこで、第１の実施の形態では、図６に示すように、ホイール１５の羽根１５Ａ同士の間に差し込まれた紙幣の後端を回転しながらＸ方向に沿って強制的に誘導して退避させるガイドローラー７が設けられている。
【００２２】
このガイドローラー７は、その外周部が、その回転方向に対して鋭角に切り立っており上記紙幣の後端に接触して前記回転方向に沿って押圧する面７Ａが形成された形成された、いわゆる手裏剣状の形状に形成されている。これにより、紙幣の処理が高速でも、連続する紙幣同士の衝突を防ぎ、集積不良を発生させないようにすることができる。ガイドローラー７は、ホイール１５よりも紙幣の搬送方向において上流側に設けられている。
【００２３】
図７に示すように、ホイール１５の上流側には、搬送されてきた紙幣をホイール１５に導く駆動ローラー８が配置されている一方、ばね２０によってＦ方向に駆動ローラー８に対して押し当てられており軸１９を中心として回転する駆動ローラー８と挟持して紙幣をホイール１５に導く従動ローラー９と、が配置されている。ガイドローラー７は、従動ローラー９の軸１９に対して同軸となるように設けられている。
【００２４】
以上のような構成によれば、集積部へ紙幣（特に異サイズ混在の紙幣）を集積するにあたり、紙幣の処理速度を高速化させた場合においても、紙幣を整列させた良好な状態で集積させることができる。
【００２５】
なお、ガイドローラー７は、図８（Ａ）に概略を示すように上述のような手裏剣状の形状を採用しているが、それに限らず、図８（Ｂ）に示すようにその外周部に放射状の凸部７Ａまたはブラシを備える形状を採用してもよい。ただし、ガイドローラー７は、たわんだ紙幣を強制的に退避させられるだけの強度（剛性）が必要であるが、その材質はゴムでも樹脂（例えばプラスチック樹脂）のような剛体でもよい。
【００２６】
（２）第２の実施の形態
第２の実施の形態に係る紙幣処理装置は、第１の実施形態に係る紙幣処理装置１とほぼ同様の構成及び動作であるため、同様の構成及び動作については同一の符号を付して説明を省略し、以下では両者の相違点を中心として説明する。
【００２７】
図９は、集積部４の構成例を示す断面図である。図示の例では、集積部４の側面が開放されており、集積された紙幣を係員の手Ｈで取り出せるようになっている。本実施の形態では、係員が紙幣を取り出しやすくするように、集積部４の底板１０の横幅が紙幣長（図示横方向における長さに相当）よりも短くなっている。
【００２８】
ところで、このように底板１０の横幅を紙幣長よりも短くすることで、大きな紙幣や変形紙幣の場合、集積枚数が増えてくると、一見すると、図１０に示すように、紙幣が雪崩れのように滑って落下してしまうおそれも考えられる。
【００２９】
そこで、第２の実施の形態では、図１１（Ａ）に示すように、底板１０の端部１０Ａを上方に盛り上げて略凸形状とするように形成し、この略凸形状の端部１０Ａの存在によって紙幣の落下を防止するようにしている。
【００３０】
図１１（Ｂ）に示す単体部品図のように、底板１０は、係員が紙幣を掴みやすいようにその一辺を構成する一辺部の中央部に略Ｖ字形状の切り欠き部１０Ｂが形成されており、かつ、この切り欠け部１０Ｂを挟んで底板１０の両端部１０Ａ，１０Ｃによって紙幣を支えるように構成されている。
【００３１】
両端部１０Ａ，１０Ｃのうちの一方の端部１０Ａは、上述したように図示の上方に向けて凸形状に形成されている。なお、この底部１０は、他方の端部１０Ａが当該一方の端部１０Ａと同様に両端部１０Ａ，１０Ｃが図示の上方に凸形状に形成されていても良い。
【００３２】
以上のような構成によれば、集積部４に集積された紙幣を係員が確実に取り出すことができる。
【００３３】
（３）その他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上述した実施の形態は、紙幣処理装置の一例として高速で紙幣を仕分けして計数する紙幣計数仕分装置に適用した場合を例示しているが、これに限らず、紙幣の仕分けを実施せず高速で紙幣を計数する紙幣計数装置のような紙幣処理装置に適用しても良い。このような紙幣計数装置では、前述した構成から識別部３を省略するとともに少なくとも１つの集積部４を備えていれば良い。
【産業上の利用可能性】
【００３４】
本発明は、紙幣などの媒体を少なくとも計数し、併せて仕分けも実施する紙幣処理装置に広く適用することができる。
【符号の説明】
【００３５】
２……紙幣投入部、３……識別部、４……集積部、５……リジェクト部、６……操作部、７……ガイドローラー７、８……駆動ローラー、９……従動ローラー、１０……底板、１２……搬送路、１３……振り分け部、１４……繰り出し部、１５……ホイール。
【図１】
2019121135.tif 000003
【図２】
2019121135.tif 000004
【図３】
2019121135.tif 000005
【図４】
2019121135.tif 000006
【図５】
2019121135.tif 000007
【図６】
2019121135.tif 000008
【図７】
2019121135.tif 000009
【図８】
2019121135.tif 000010
【図９】
2019121135.tif 000011
【図１０】
2019121135.tif 000012
【図１１】
2019121135.tif 000013